(57)【要約】      （修正有）【課題】飲水カップの凍結を防止することができる家畜用飲水具を提供する。【解決手段】ボール状受水槽の上カップ体１と、それと同型のボール型下カップ体２を下から重ね接合し、その間に流水路用のカップ隙間３を形成する。下カップ体の中央に循環給水路４を設け、上カップに温水循環戻り水路穴５を設ける。加圧温水が循環サービスタンクから循環給水路４に供給され、温水循環戻り水路穴５から循環サービスタンクへ戻るように、循環水路を設ける。   【選択図】図１
0003158814.tif 000002
【実用新案登録請求の範囲】
【請求項１】
ボール状受水槽の後部に温水循環用水路穴を延設する上カップ体と、ボール状受水槽と同型のボール型の下カップ体を下から重ね接合し、その間に流水路用の隙間を形成し、下カップ体の中央に循環給水路を設けた事を特徴とする凍結防止機能を備えた飲水具。
【請求項２】
請求項１に記載の上カップ体の温水循環用水路穴にT型のパイプを衝合し、そのT型パイプの一端に循環出水管の接続口を設け、もう一方に家畜用飲水器の接続口を有する事を特徴とする凍結防止機能を備えた飲水具。
【考案の詳細な説明】
【技術分野】
【０００１】
本発明は、豚、牛、羊等の家畜に水を与える凍結防止機能を備えた家畜用飲水具に関するものである。
【背景技術】
【０００２】
牛、馬、羊等の家畜に水を与えるための飲水具として、従来、図２ に示すように、飲水カップの下側より保温電熱器(20)に通電し加熱し、給水管にワイヤー電熱器(21)を巻いて通電し加熱し、カップ全体を暖め凍結防止を図るものが主流であった。
【０００３】
屋外又は、飼育舎などで、給水に温水を使い、各家畜房の飲水具間に温水を循環させ、給水器付近のみを暖め凍結防止を図るものが多い。
図６においては、温水を循環させ、温水パイプの余熱を利用して給水器を暖めている。
【０００４】
図４に示すように、飲水具の受水槽底面に排水穴(28)を開け、夏季はネジでふさぎ、冬季は、排水穴(28)を開放し、家畜が水をのみ終えると余った水が穴から排出され、受水槽内を空にし、凍結を防止しようとしていた。しかし、排出される水又は温水が無駄になり、また、水が飼育房の床面で凍結してしまう難があった。
【先行技術文献】
【特許文献】
【０００５】
【特許文献１】特開２００２−１０４
【特許文献２】特開２００４−３３７０６０
【考案の概要】
【考案が解決しようとする課題】
【０００６】
従来の牛、馬等の飼育舎などでは、冬に飲水カップの飲み水が凍結していまい、その解決としては、保温電熱器で解凍する方法や、トーチバーナーで暖め解凍しなければならない。
また、近年家畜は、臭い公害問題で山間部の生産が多くなり、寒期に於いて夜間、飲水器の凍結で生産に障害が発生している。
【０００７】
給水に温水を使い、各家畜房の飲水具間を温水で循環させ、給水器付近を暖め凍結防止を図るものが有るが、飲水カップの凍結を防止する事はできなかった。
【課題を解決するための手段】
【０００８】
図1ボール状受水槽の上カップ体 (1)と、その飲水カップと同型のボール型下カップ体(2)を下から重ね接合し、その間に流水路用のカップ隙間(3)を形成し、下カップ体の中央に循環給水路(4)を設け、上カップ体の後部に循環戻り水路穴(5)を延設する。
循環給水路(4)より加圧温水を供給すると、温水は受水槽のカップ隙間(3)に流れ込み、流水路用の隙間を温水でみたし、循環戻り水路穴(5)からT型パイプ(6)を通り循環する。
【考案の効果】
【０００９】
上記述の様に、加圧温水を供給すると、温水はボール状受水槽の上カップ体(1)底面を暖めながら上昇し、循環戻り水路穴(5)に向かい、T型パイプ(6)を通り、循環出水管(25)に流れて行く。
その結果、飲水カップの受水槽(11)を万遍なく暖め凍結を防止し、尚且つT型パイプ(6)接続してある家畜用飲水器 図3(10)をも暖め凍結をも防止する。
【００１０】
図3の家畜用飲水器(10)は、特開２００４−３３７０６０などの形状のものを使う。
【図面の簡単な説明】
【００１１】
【図１】本案の斜視図であり中央部分の一部断面図
【図２】従来の飲水具の保温構造を示した図
【図３】本案の飲水具の断面図
【図４】従来の飲水具底面に穴を開けた断面図
【図５】本案の飲水具の使用を示した図
【図６】従来の飲水具に給水する方法の使用を示した図
【考案を実施するための形態】
【００１２】
以下、本発明の飲水具の好適な実施形態について、図面を参照して詳細に説明する。
【００１３】
本案の飲水具は、  図1 に示すように、ボール状受水槽の上カップ体(1)、ボール型下カップ体(2)、T型パイプ(6)から構成される。
【００１４】
図1ボール状受水槽の上カップ体(1)と、そのボール状受水槽と同型のボール型の下カップ体(2)を下から重ね接合し、その間に流水路用のカップ隙間(3)を形成し、下カップ体(2)の中央に循環給水路(4)を設け、上カップの後方に温水循環戻り水路穴(5)を延設する。T型パイプ(6)の一端に循環戻り水管口(7)を設け、もう一方に家畜用飲水器の接続口(8)を設け、家畜用飲水器  図3(10)を取付ける。
【００１５】
又、本発明が過去のものと異なる点は、特開２００２−１０４と比較した場合、本発明は、電気による加熱を利用したものでは無く、温水を給水具の下から供給して、上に出すと言う構造が特徴であるから類似しない。
【実施例】
【００１６】
以下添付図面に従って説明する。
図3循環給水路(4)に接続したパイプより、加圧した温水を注入すると、温水は、ボール状受水槽の上カップ体(1)の底面を暖めながら、カップ隙間(3)を温水で満たし、温水循環戻り水路穴(5)より出て、T型パイプ(6)に流れ込み、T型パイプ(6)に接続して有る家畜用飲水器  図3(10)も暖める。
【００１７】
受水槽(11)に出なかった温水は、T型パイプ(6)の循環戻り水管口(7)に接続してある循環出水管(25)へ送り出され循環する。
【００１８】
また、本案は、温水を器具の底面から供給する事により、カップ隙間(3)を温水で満たす事ができる。上から温水を供給すると、温水は底面に流れ込みカップ隙間(3)全体を温水で満たすことはできないと考えられる。
【００１９】
図1は、本案の凍結防止機能を備えた飲水具の部分断面を示したものである。
【００２０】
図2は、既に市販されている電熱式の凍結防止機能を備えた飲水具の断面を示したものである。
【００２１】
図5は、本案の飲水具(36)に温水を循環する方法として、循環サービスタンク(30)に水を貯め、温水ヒーター(31)で水を温め、循環用水中ポンプ(32)で温水を送り出す。温水は、環境給水管(24)を通り、各飼育房の飲水具(36)の循環給水路(4)に供給し、循環戻り水管口(7)から循環出水管(25)を通り、次の飲水具(36)に供給し、循環サービスタンク(30)へ循環させているところを示したたものである。
【００２２】
図6は、従来の温水を循環する方法として、循環サービスタンク(30)に水を貯め、温水ヒーター(31)で水を温め、循環用水中ポンプ(32)で温水を送り出す。温水は、環境給水管(24)を通り、各飼育房の従来の飲水具(34)に供給し、循環出水管(25)を通り、循環サービスタンク(30)へ循環させているところを示したたものである。
【符号の説明】
【００２３】
１  ボール状受水槽の上カップ体
２  下カップ体
３  カップ隙間
４  循環給水路
５  循環戻り水路穴
６  T型パイプ
７  循環戻り水管口
８  家畜用飲水器の接続口
９  本体取付用金具
１０  家畜用飲水器
１１  受水槽
２０  保温電熱器
２１  ワイヤー電熱器
２２  押しベラ
２３  給水弁
２４  循環給水管
２５  循環出水管
２６  電気供給線
２７  飲水具カバー
２８  排水穴
３０  循環サービスタンク
３１  温水ヒーター
３２  循環用水中ポンプ
３４  従来の飲水具
３５  補給水管
３６  本案の飲水具
【図１】
0003158814.tif 000003
【図２】
0003158814.tif 000004
【図３】
0003158814.tif 000005
【図４】
0003158814.tif 000006
【図５】
0003158814.tif 000007
【図６】
0003158814.tif 000008
【手続補正書】
【提出日】平成22年2月12日(2010.2.12)
【手続補正１】
【補正対象書類名】実用新案登録請求の範囲
【補正対象項目名】全文
【補正方法】変更
【補正の内容】
【実用新案登録請求の範囲】
【請求項１】
ボール状受水槽の後部に温水循環戻り水路穴を延設する上カップ体と、ボール状受水槽と同型のボール型の下カップ体を下から重ね接合し、その間に流水路用の隙間を形成し、下カップ体の中央に循環給水路を設け、循環サービスタンクに水を貯め温水ヒーターで温め、温水にした湯を循環用水中ポンプで送り出し、該循環給水路に加圧温水として供給し、該温水循環戻り水路穴から循環サービスタンクへ温水が戻るように、循環水路を設けた事を特徴とする凍結防止機能を備えた飲水具。
【請求項２】
前記飲水具のボール状受水槽の後部に設けた温水循環戻り水路穴にＴ型のパイプを衝合し、そのＴ型パイプの一端に循環出水管の接続口を設け、もう一方に家畜用飲水器の接続口を有する事を特徴とする請求項１記載の凍結防止機能を備えた飲水具。